(57)【要約】      （修正有）【課題】ＧＰＳ機能により位置データが取得できない場合でも、走行ルートを算出することができ、画像データをリンクできる電子アルバム作成装置を提供する。【解決手段】ＧＰＳ機能を有する位置データ取得装置３から取得された位置データと、デジタルカメラ１で取得した画像データとをリンクさせるデータリンク手段２８と、地図データを記憶する地図データ記憶手段２５と、画像データにリンクされた位置データに基づいて、走行ルートを算出するルート算出手段２９と、地図上に画像を走行ルートに対応させて表示させるための画像表示手段３１とを備えた電子アルバム作成装置であって、位置データの取得に連動して作動するジャイロセンサー７からの補間用位置データを取得可能な補間データ取得手段２４と、ＧＰＳからの位置データが得られていない場合、補間用位置データに基づいて走行ルートを補間するルート補間手段３２とを備えている。【選択図】  図１
2006279266.tif 000002
【特許請求の範囲】
【請求項１】
ＧＰＳ機能を有する位置データ取得装置から取得された位置データと、画像データ撮影装置で取得した画像データとをリンクさせるデータリンク手段と、
位置データの場所を画面表示させるための地図データを記憶する地図データ記憶手段と、
取得された位置データに基づいて、走行ルートを算出するルート算出手段と、
画面表示された地図上に走行ルートを表示させるためのルート表示手段と、
画面表示された地図上に画像を走行ルートに対応させて表示させるための画像表示手段とを備えた電子アルバム作成装置であって、
前記位置データの取得に連動して作動するジャイロセンサーからの補間用位置データを取得可能な補間データ取得手段と、
ＧＰＳからの位置データが得られていない場合、補間用位置データに基づいて走行ルートを補間するルート補間手段とを備えていることを特徴とする電子アルバム作成装置。
【請求項２】
前記ルート補間手段は、位置データが得られていない時間帯の前後における位置データと、取得した補間用位置データとに基づいて、走行ルートを補間することを特徴とする請求項１に記載の電子アルバム作成装置。
【請求項３】
前記走行ルートは歩行ルートであり、この歩行ルートにおける歩数を画面表示させる歩数表示手段を備えていることを特徴とする請求項１又は２に記載の電子アルバム作成装置。
【請求項４】
歩行ルートにおける歩数に基づいて疲労度を算出する疲労度算出手段と、
算出された疲労度を画面表示させる疲労度表示手段とを備えていることを特徴とする請求項３に記載の電子アルバム作成装置。
【請求項５】
ＧＰＳ機能を有する位置データ取得装置から取得された位置データと、画像データ撮影装置で取得した画像データとをリンクさせるデータリンク手段と、
位置データの場所を画面表示させるための地図データを記憶する地図データ記憶手段と、
取得された位置データに基づいて、走行ルートを算出するルート算出手段と、
画面表示された地図上に走行ルートを表示させるためのルート表示手段と、
画面表示された地図上に画像を走行ルートに対応させて表示させるための画像表示手段とを備えた電子アルバム作成システムであって、
ＧＰＳからの位置データの信号レベルが所定値以下か否かを判定する信号レベル判定手段と、
前記位置データの取得に連動して作動するジャイロセンサーからの補間用位置データを取得する補間データ取得手段と、
前記信号レベルが所定値以下の場合、補間用位置データに基づいて補間された位置データを算出する補間データ算出手段と、
位置データと補間用位置データを出力する位置データ出力手段とを備えていることを特徴とする電子アルバム作成システム。
【請求項６】
前記信号レベルが所定値以下から所定値以上に回復したとき、算出された補間用位置データと、前記回復時に得られた位置データとに基づいて、算出された補間用位置データを修正可能な補間データ修正手段を備えていることを特徴とする請求項５に記載の電子アルバム作成システム。
【請求項７】
ＧＰＳ機能を有する位置データ取得装置から取得された位置データと、画像データ撮影装置で取得した画像データとをリンクさせるデータリンク処理と、
位置データの場所を画面表示させるための地図データを読み出す処理と、
画像データにリンクされた位置データに基づいて、走行ルートを算出する処理と、
画面表示された地図上に走行ルートを表示させるための処理と、
画面表示された地図上に画像を走行ルートに対応させて表示させるための処理と、
前記位置データの取得に連動して作動するジャイロセンサーからの補間用位置データを取得する処理と、
ＧＰＳからの位置データが得られていない場合、補間用位置データに基づいて走行ルートを補間する処理とをコンピュータに実行させることを特徴とする電子アルバム作成プログラム。
【発明の詳細な説明】
【技術分野】
【０００１】
本発明は、ＧＰＳ機能を有する位置データ取得装置から取得された位置データと、画像データ撮影装置で取得した画像データとをリンクさせるデータリンク手段と、位置データの場所を画面表示させるための地図データを記憶する地図データ記憶手段と、取得された位置データに基づいて、走行ルートを算出するルート算出手段と、画面表示された地図上に走行ルートを表示させるためのルート表示手段と、画面表示された地図上に画像を走行ルートに対応させて表示させるための画像表示手段とを備えた電子アルバム作成装置、電子アルバム作成システム、及び、電子アルバム作成プログラムに関するものである。
【背景技術】
【０００２】
かかる電子アルバム作成装置に関連する技術として、下記特許文献１に開示される情報処理装置が知られている。この装置は、デジタルの画像データを管理する技術を提供するものであり、地図と画像を組み合わせて保存管理するものである。写真撮影者は、地図上の位置と撮影した画像データを関連付けさせて記憶させる。そして、地図上の撮影地点を指定した場合、その地点で撮影された画像データをその地図上の地点の付近にサムネイル画像として表示させるものである。また、撮影地点を順番にたどることで、各地点で撮影された画像データが再現され、旅行の気分を思い出しながら味わうことができる電子アルバムを提供することができる。
【０００３】
かかる電子アルバムを提供するためには、画像データとその画像が撮影された地点（位置データ）とを関連付けさせる必要がある。位置データを取得する方法としては、ＧＰＳ機能を用いる方法が一般的である。例えば、デジタルカメラやカメラ付携帯電話にＧＰＳ機能を搭載することで、位置データと画像データとの関連付けを行うことができる。また、デジタルカメラ等にＧＰＳ機能がない場合は、ＧＰＳ機能を搭載した位置データ取得装置を用いて位置データを獲得できる。電子アルバムを編集する際には、位置データと画像データの関連付けを改めて行う必要があるが、画像データや位置データを取得する際には、いずれも時刻データと対応づけて取得できるので、時刻データをキーとして関連付けを行うことができる。
【特許文献１】特開２００１−１６００５８号公報
【発明の開示】
【発明が解決しようとする課題】
【０００４】
しかしながら、ＧＰＳにより位置データを取得する場合、博物館のような建造物の内部に入って写真撮影を行うと、ＧＰＳによる信号レベルが低下して位置データを取得できないことがある。かかる場合、画像データを取得できても、対応する位置データが取得できないため走行ルートを再現することができなくなる。
【０００５】
本発明は上記実情に鑑みてなされたものであり、その課題は、ＧＰＳ機能により位置データが取得できない場合でも、走行ルートを算出することができ、画像データをリンクできる電子アルバム作成装置、電子アルバム作成システム、及び電子アルバム作成プログラムを提供することである。
【課題を解決するための手段】
【０００６】
上記課題を解決するため本発明に係る電子アルバム作成装置は、
ＧＰＳ機能を有する位置データ取得装置から取得された位置データと、画像データ撮影装置で取得した画像データとをリンクさせるデータリンク手段と、
位置データの場所を画面表示させるための地図データを記憶する地図データ記憶手段と、
取得された位置データに基づいて、走行ルートを算出するルート算出手段と、
画面表示された地図上に走行ルートを表示させるためのルート表示手段と、
画面表示された地図上に画像を走行ルートに対応させて表示させるための画像表示手段とを備えた電子アルバム作成装置であって、
前記位置データの取得に連動して作動するジャイロセンサーからの補間用位置データを取得可能な補間データ取得手段と、
ＧＰＳからの位置データが得られていない場合、補間用位置データに基づいて走行ルートを補間するルート補間手段とを備えていることを特徴とするものである。
【０００７】
この構成による電子アルバム作成装置の作用・効果を説明する。この電子アルバム作成装置が作成する電子アルバムは、取得した位置データに基づいて、走行ルートを算出することができる。この走行ルートに対応させて、地図上に画像を表示させることができる。位置データは、ＧＰＳ機能を有する位置データ取得装置から取得することができる。また、位置データの取得に連動して作動するジャイロセンサーが設けられており、ＧＰＳからの位置データが得られないような場合は、ジャイロセンサーから得られる信号に基づいて、補間用位置データを取得することができる。これにより、ＧＰＳ信号が得られなかった場合（信号レベルが低すぎる場合を含む）でも走行ルートを再現させることができる。その結果、ＧＰＳ機能により位置データが取得できない場合でも、走行ルートを算出することができ、画像データをリンクできる電子アルバム作成装置を提供することができる。
【０００８】
本発明に係るルート補間手段は、位置データが得られていない時間帯の前後における位置データと、取得した補間用位置データとに基づいて、走行ルートを補間することが好ましい。
【０００９】
例えば、時刻ｔ１からｔ２の間のＧＰＳからの位置データが得られていない場合、時刻ｔ１におけるＧＰＳ信号と、時刻ｔ１以後のジャイロセンサーからの信号（補間用位置データ）に基づいて、走行ルートを補間するようにしてもよいが、時刻ｔ２において誤差が大きくなる可能性がある。そこで、時刻ｔ１，ｔ２におけるＧＰＳによる位置データと、補間用位置データに基づいて、走行ルートを再現することで精度の良い走行ルートを算出することができる。
【００１０】
本発明において、走行ルートは歩行ルートであり、この歩行ルートにおける歩数を画面表示させる歩数表示手段を備えていることが好ましい。歩数表示を行うことで、旅行当時の気分を回想することができる。
【００１１】
本発明において、歩行ルートにおける歩数に基づいて疲労度を算出する疲労度算出手段と、
算出された疲労度を画面表示させる疲労度表示手段とを備えていることが好ましい。
【００１２】
歩数に基づいて疲労度を算出し、これを画面表示させることで遊び心を演出しながら、旅行当時の気分を回想することができる。疲労度としては、例えば、適宜のアイコンを表示させることができる。
【００１３】
上記課題を解決するため本発明に係る電子アルバム作成システムは、
ＧＰＳ機能を有する位置データ取得装置から取得された位置データと、画像データ撮影装置で取得した画像データとをリンクさせるデータリンク手段と、
位置データの場所を画面表示させるための地図データを記憶する地図データ記憶手段と、
取得された位置データに基づいて、走行ルートを算出するルート算出手段と、
画面表示された地図上に走行ルートを表示させるためのルート表示手段と、
画面表示された地図上に画像を走行ルートに対応させて表示させるための画像表示手段とを備えた電子アルバム作成システムであって、
ＧＰＳからの位置データの信号レベルが所定値以下か否かを判定する信号レベル判定手段と、
前記位置データの取得に連動して作動するジャイロセンサーからの補間用位置データを取得する補間データ取得手段と、
前記信号レベルが所定値以下の場合、補間用位置データに基づいて補間された位置データを算出する補間データ算出手段と、
位置データと補間用位置データを出力する位置データ出力手段とを備えていることを特徴とするものである。
【００１４】
かかる電子アルバム作成システムによる作用・効果は、既に述べたとおりである。すなわち、ＧＰＳ信号のレベルが所定値以下の場合に、補間用位置データに基づいて、補間された位置データが算出される。この補間された位置データを算出するタイミングについては、例えば、実際に旅行に出かけて位置データを取得しているときにリアルタイムで補間を行うようにしても良いし、後日、電子アルバムの編集を行うときに走行ルートを補間するようにしてもよい。その結果、ＧＰＳ機能により位置データが取得できない場合でも、走行ルートを算出することができ、画像データをリンクできる電子アルバム作成システムを提供することができる。
【００１５】
本発明において、前記信号レベルが所定値以下から所定値以上に回復したとき、算出された補間用位置データと、前記回復時に得られた位置データとに基づいて、算出された補間用位置データを修正可能な補間データ修正手段を備えていることが好ましい。
【００１６】
リアルタイムで補間用位置データにより補間する場合、ＧＰＳからの信号レベルが回復したときに、補間した位置データと、ＧＰＳからの位置データとに誤差が生じていることがある。そこで、回復時に得られた位置データに基づいて、一度算出された補間用位置データを修正するようにすることで、精度の良い走行ルートを得ることができる。
【００１７】
上記課題を解決するため本発明に係る電子アルバム作成プログラムは、
ＧＰＳ機能を有する位置データ取得装置から取得された位置データと、画像データ撮影装置で取得した画像データとをリンクさせるデータリンク処理と、
位置データの場所を画面表示させるための地図データを読み出す処理と、
取得された位置データに基づいて、走行ルートを算出する処理と、
画面表示された地図上に走行ルートを表示させるための処理と、
画面表示された地図上に画像を走行ルートに対応させて表示させるための処理と、
前記位置データの取得に連動して作動するジャイロセンサーからの補間用位置データを取得する処理と、
ＧＰＳからの位置データが得られていない場合、補間用位置データに基づいて走行ルートを補間する処理とをコンピュータに実行させることを特徴とするものである。
【００１８】
かかる電子アルバム作成プログラムによる作用・効果は、既に述べたとおりである。
【発明を実施するための最良の形態】
【００１９】
本発明に係る電子アルバム作成システム（装置）の好適な実施形態を図面を用いて説明する。図１は、電子アルバム作成システムの概要を示す模式図である。
【００２０】
＜システムの構成＞
図１において、画像データ撮影装置であるデジタルカメラ１により、画像データを取得することができる。撮影された画像データは、記憶メディア２に格納される。記憶メディア２としては、コンパクトフラッシュ（登録商標）、スマートメディア（登録商標）等の適宜の記憶媒体を用いることができる。また、画像データは所定の形式（ＪＰＥＧ等）の画像ファイルで保存され、そのヘッダ部分にＥｘｉｆデータも合わせて保存される。Ｅｘｉｆデータとして、撮影時刻データ（年月日時分秒）や画像データサイズ（幅・高さ）などの画像データに付随するデータが格納される。
【００２１】
位置データ取得装置３は、デジタルカメラ１と一緒に持ち歩くことで、位置データを取得する機能を有する装置である。例えば、万歩計（登録商標）に位置データ取得装置３の機能を持たせることができる。ＧＰＳセンサー４は、人工衛星からの電波を受信する。受信した信号に基づいて、位置データ（緯度・経度データ）を取得することができる。位置データは、位置データ保存部５に保存することができる。時計手段６は、現在時刻データを発生する機能を有しており、位置データ保存部５には位置データが時刻データとリンクした状態で保存される。
【００２２】
ジャイロセンサー７は、ＧＰＳセンサー４で位置データが取得できないときに、位置データを補間するために設けられる。ジャイロセンサー７により、歩行者の歩行状態を検出することができ、補間データ保存部８に補間用位置データが保存される。補間用位置データも、時刻データとリンクした形で保存される。歩数計測手段９は、万歩計（登録商標）の機能として備わっているものであり、位置データ取得装置３を所持する者の歩数データを計測する。歩数データも時刻データとリンクさせて保存することができる。データ出力部１０からは、位置データ、補間用位置データ、歩数データなどを出力することができる。例えば、パソコンとＵＳＢケーブル等により接続することができ、保存したデータを読み出すことができる。
【００２３】
次に電子アルバム作成装置２０について説明する。電子アルバム作成装置２０は、所定の電子アルバム作成プログラムをパソコン等のコンピュータにインストールすることで実現することができる。電子アルバムは、パソコンの画面上でアルバムを楽しむものであり、特に本発明の場合、モニターに地図を表示させて、この地図上に歩行ルート(走行ルートの1例)と画像を表示させることで、旅行で味わった気分を楽しむことができるようにしたものである。
【００２４】
画像データ取得手段２１は、記憶メディア２に格納されている画像データを取得する機能を有する。取得した画像データは、画像データ記憶手段２２に記憶させることができる。位置データ取得手段２３は、位置データ取得装置３から位置データを取得することができる。補間データ取得手段２４は、位置データ取得装置３から補間用位置データを取得することができる。地図データ記憶手段２５は、位置データに対応して地図を表示するための地図データが保存されている。コンテンツ取得手段２６は、地図上にコンテンツを表示させるためのコンテンツデータを取得する。コンテンツデータは、例えば、観光スポットの説明を行うためのテキストデータ、動画データ、画像データ、音声データなどにより構成される。コンテンツデータは、適宜の記憶メディアを介して取得することもできるし、パソコン内で編集することで創作・取得することもできる。また、コンテンツデータは取得した画像データとリンクさせることもできる。例えば、画像に関連したコメントをコンテンツデータとすることができる。
【００２５】
データリンク手段２８は、取得した画像データと位置データ、補間用位置データとをリンクさせることができる。いずれのデータも時刻データとリンクさせているので、この時刻データを介してリンクさせることができる。
【００２６】
ルート算出手段２９は、取得した位置データに基づいて歩行ルートを算出することができる。ルート表示手段３０により、歩行ルートは画面表示される地図上に重ねて表示することができる。また、画像データと位置データを対応付けることができるため、画像データとリンクされている地図上の位置で画像を表示させることができる。これは、画像表示手段３１の機能に基づくものであり、表示される画像の画像データを画像データ記憶手段２２から読み出して、表示される場所や大きさを設定する。例えば、サムネイル画像として表示させることができる。
【００２７】
歩行ルートの算出は、基本的にＧＰＳによる位置データに基づいて算出することができるが、ＧＰＳセンサーの信号が常に得られるわけではなく、建物の中に入った場合は電波信号が微弱になり、ＧＰＳによる位置データが得られないことがある。例えば、博物館に入っていろいろな写真撮影を行ったとしても、位置データが取得できなければ、走行ルートを再現することができなくなる。この場合は、ジャイロセンサー７から得られた補間用位置データを用いて走行ルートの補間を行う。ルート補間手段３２は、補間用位置データに基づいて、走行ルートを補間する機能を有する。ルート表示手段３０は、歩行ルートが補間された場合は、補間された結果の走行ルートを表示する。
【００２８】
歩数データ取得手段３３は、位置データ取得装置１から歩数データを取得することができる。歩数データは、時刻データとリンクして得ることができるので、これに基づいて、走行ルート上の任意の地点間の歩数を算出することができる。歩数表示手段３４は、画面上に表示されている走行ルートに関連付けて歩数を表示させることができる。例えば、画像を撮影した撮影地点と別の撮影地点間の歩数を表示させたり、任意の地点間の歩数を表示させることができる。
【００２９】
疲労度算出手段３５は、獲得した歩数データに基づいて、疲労度を算出することができる。例えば、歩数値を数段階に分けて、疲労度小・中・大のようにランク分けすることができる。疲労度表示手段３６は、算出された疲労度を画面表示させることができる。例えば、走行ルートの各撮影地点における疲労度をアイコン等で表示させることができる。
【００３０】
表示処理部３７は、モニター３８の画面に電子アルバムを表示させるための処理を行う。先ほど説明した画像表示手段３１、歩数表示手段３４、疲労度表示手段３６による処理結果をモニター画面に表示させるようにする。また、地図データ記憶手段２５に記憶させている地図データの表示処理や、その他のユーザーインターフェースのための表示画面を提供させる。
【００３１】
出力処理部３９は、スピーカー４０やプリンター４１へデータを出力するための処理を行う。例えば、画像データを写真プリントとして作成するためには、プリント画像データを生成してプリンター４１へ出力させる。プリンター４１は、インクジェットプリンター、サーマルプリンター、写真現像式プリンター等の適宜のものを使用することができる。また、コンテンツデータが音楽データや音声データである場合、それをスピーカーから出力させるためのデータ処理を行う。
【００３２】
入力操作部４２は、キーボードやマウス等により構成され、入力操作部４２を介して入力されたデータや指令は、入力処理部４３において処理される。
【００３３】
電子アルバム記録手段４４は、電子アルバム作成装置２０により作成した電子アルバムを適宜の記憶メディア４５に記録する機能を有する。これにより、他のパソコンでも電子アルバムを閲覧できるようになる。また、写真店に設置される写真処理装置に電子アルバム作成装置２０を組み込むことで、顧客へのサービスの１つとして、電子アルバムを提供することができる。すなわち、顧客は記憶メディア４５と、位置データ取得装置３により取得したデータを写真店に提供することで、電子アルバムが組み込まれた記憶媒体を受け取ることができる。
【００３４】
＜電子アルバムの表示形態１＞
次に、電子アルバムの表示形態について図２により説明する。図２において、地図上に撮影地点がＣ１〜Ｃ７で示されている。各撮影地点Ｃ１〜Ｃ７には、画像データ記憶手段２０に記憶されている画像データが、例えばサムネイル画像Ｇ１〜Ｇ７で表示される。また、各撮影画像データは撮影時刻データも有しており、同じく時刻データを有する位置データとに基づいて、仮想軌跡ＶＲを描くことができる。
【００３５】
図２に示す電子アルバムの表示形態としては種々のものが考えられる。例えば、仮想軌跡ＶＲに沿ってアイコンあるいはキャラクター５０を移動させ、撮影地点に到達すると、そこで撮影された画像データをサムネイル画像でポップアップさせて表示させることができる。すなわち、仮想軌跡ＶＲのスタート時点にスタートボタン５１を配置し、これをクリックすることで、キャラクター５０が移動し、撮影地点Ｃ１〜Ｃ７に到達するごとに、サムネイル画像が表示される。これにより、旅行で味わった気分を思い出すことができる。また、撮影された画像データにコンテンツデータが関連付けされている場合は、そのコンテンツデータも表示させることができる（Ｄ１〜Ｄ７）。またサムネイル画像をクリックすることで、拡大された画像に切り替え可能にすることもできる。
【００３６】
その他の電子アルバム表示態様としては、図２における表示画面において、撮影されたすべての画像と、これに関連付けされたコンテンツを同時に表示させてもよい。あるいは、画像やコンテンツデータの表示は、通常は行わず、撮影地点Ｃ１〜Ｃ７をクリックすることで、画像を表示させたりコンテンツデータを表示させたりすることができる。また、画像のみを表示させ、さらにこの画像をクリックすることでコンテンツデータを表示させるようにしても良い。また、コンテンツデータには、撮影地点と関連のないものも記憶されている。例えば、Ｐ１に示す領域にはコンテンツデータＤａのみが記憶されている。かかる場合は、その領域Ｐ１をクリックすることで、コンテンツデータを表示させることができる。
【００３７】
位置データについては、ＧＰＳセンサー４に基づいて取得できるデータであるが、ＧＰＳセンサー４からの信号が微弱になり（あるいは、全く得られなくなり）、精度の良い位置データを取得できないことがある。例えば、博物館のような建物の中に入った場合である。図２では、建物領域５２を枠線で概念的に示している。この場合は、補間データ取得手段２４により取得した補間用位置データにより経路を補間する。走行ルートの補間演算は、ルート補間手段３２により補間される。補間された走行ルートはＶＲ’で示されている。これにより、建物の内外で走行ルートがスムーズに連結される。
【００３８】
補間演算は、撮影地点Ｃ２とＣ６の位置データ（これらはＧＰＳセンサー４から得られる）と、Ｃ２・Ｃ６間の補間用位置データに基づいて行うことができる。あるいは、建物の内外の境界における地点ｅ１，ｅ２における位置データ（ＧＰＳセンサー４から得られる）と、ｅ１，ｅ２間の補間用位置データに基づいて行うことができる。
【００３９】
なお、撮影地点Ｃ２での位置データ、あるいは、ｅ１での位置データと、補間用位置データに基づいて補間演算を行った場合は、破線で示す走行ルートＶＲ’’のように、誤差が生じることがあるので、その後にＧＰＳセンサー４からの信号が復活したときの位置データ、すなわちｅ２での位置データを用いて演算することが好ましい。
【００４０】
＜電子アルバムの表示形態２＞
次に、電子アルバムの別の表示形態を図３により説明する。地図表示エリア５６には、図２で説明した地図と仮想軌跡ＶＲが表示される。撮影地点Ｃ１〜Ｃ７には、撮影された画像データが存在することを示すカメラアイコンが表示されている。撮影地点における画像枚数が複数存在する場合は、その枚数も合わせて表示される。例えば、撮影地点Ｃ２では、画像データが５枚存在することが表示されている。
【００４１】
画像表示エリア５３は、撮影地点において撮影された画像データを表示するエリアである。コンテンツ表示エリア５４は、画像表示エリア５３に表示されている画像に関連付けられたコンテンツを表示させるエリアである。調整ボタン５５は、コンテンツの表示態様を調整するためのボタンである。例えば、コンテンツが動画データであれば、その再生速度などを調整することができる。
【００４２】
この図３において、キャラクター５０を仮想軌跡ＶＲに沿って移動させ、キャラクター３０がある撮影地点に到達すると、その地点における画像データとコンテンツデータが、夫々エリア５３，５４に表示されることになる。例えば、キャラクター５０が撮影地点Ｃ２に到達すると、その地点で撮影された画像とこれに関連付けられたコンテンツが表示され、この表示はキャラクター５０が次の撮影地点Ｃ３に到達するまで続けられる。また、画像が表示されている撮影地点Ｃ２におけるカメラアイコンが点滅したり別の色に変化することで、どの撮影地点における画像が表示されているのかを知らせることができる。
【００４３】
また、撮影地点Ｃ２でキャラクター５０が所定時間停止するようにし、その停止している間だけ表示するようにしてもよい。また、コンテンツが動画データである場合は、その再生時間を確保できるように、キャラクター５０の停止時間や移動速度を調整できるようにしておくことが好ましい。また、コンテンツデータとして、音楽データや音声データを記憶させておくことができ、その場合はパソコンに内蔵あるいは外付けされたスピーカにより音楽が再生される。また、コンテンツデータとして表示エリア５４にテキストデータを表示させる場合、これを音声により再生することもできる。例えば、観光スポットの説明を音声で行うようにできる。
【００４４】
＜電子アルバムの表示形態３＞
図４は、電子アルバムの更に別の表示形態を示す図である。地図表示エリア５６と画像表示エリア５３に関しては、図３と同じである。画像の左側に、疲労度表示エリア５７が設けられている。これは、撮影地点Ｃ１，Ｃ２・・とその間の歩数と、撮影地点における疲労度をアイコンで表示したものである。歩数を示すデータは、歩数データ取得手段３３により取得することができ、各撮影地点間における歩数を演算することができる。図例で、撮影地点Ｃ２における歩数１５０は、撮像装置Ｃ１・Ｃ２間における歩数が示されている。歩数表示に隣接して、アイコンにより疲労度が表示される。切り換えボタン５８をクリックすることで、図３に示したようなコンテンツデータを表示する状態に切り替えることができる。
【００４５】
＜走行ルート算出までの手順＞
次に、走行ルートを算出するまでの手順を図５のフローチャートにより説明する。デジタルカメラ１により撮影された画像データが格納された記憶メディア２から画像データを取得する（＃１）。画像データは、画像データ記憶手段２２に記憶される。また、位置データ取得装置３から位置データを取得する（＃２）。画像データは、位置データと関連付けされた状態で保存される。また、補間用位置データがある場合は、これを取得する（＃３）。
【００４６】
取得した位置データに基づいて、走行ルートを演算する（＃４）。走行ルートの演算は、地図上に表示するために行われるものである。位置データは、時間の経過と共に時々刻々と得られるものであり、厳密に走行ルートを演算することができるが、演算精度は必要に応じて設定することができる。例えば、画像を撮影した撮影地点のみの位置データを獲得し、各撮影地点間を直線で結ぶような走行ルートを求めても良い。また、各撮影地点を通過する関数（曲線）を演算して、これを表示させるようにしても良い。
【００４７】
走行ルートを演算するに際して、ルートの補間を行う必要があるか否かを判断する（＃５）。ステップ＃３にて、補間用位置データを取得していなければ、補間の必要はないが、取得していればルートの補間演算を行う（＃６）。ルートの補間演算が終了すると、走行ルートをモニター３８に表示させる。また、演算した走行ルートについては、記憶手段に記憶しておことができる。
【００４８】
＜走行ルート補間の別実施例＞
次に、走行ルートの補間演算を行う場合の別実施形態を説明する。図１で説明したのは、位置データと補間用位置データのすべてをいったん取得してから走行ルートを補間する場合の構成例である。これに換えて、位置データと補間用位置データをリアルタイムで取得しながら、走行ルートを演算することもできる。これを図６のフローチャートにより説明する。
【００４９】
まず、位置データを取得する（＃１０）。この位置データの信号レベルが所定値以上であるか否かを判断する（＃１１）。所定値以上であれば、これに基づいて、走行ルートを演算する（＃１２）。演算処理を終了するか否かを判断する（＃１３）。終了でなければ、ステップ＃１１に戻り、走行ルートの演算処理を続行する。終了であれば、走行ルートを記憶させる（＃１４）。演算終了は、例えば画像データの撮影が終了したことを表す指令信号に基づいて判断可能である。
【００５０】
ステップ＃１１で信号レベルが所定値未満であれば、補間用位置データをジャイロセンサー７から取得する（＃１５）。例えば、図７に示すように、地点Ｃ１０〜Ｃ１１までは、ＧＰＳセンサー４から得られる位置データに基づいて、仮想経路ＶＲが演算される。Ｃ１１地点で、信号レベルが低下した場合、補間用位置データを用いて走行ルートの補間演算を行う（＃１６）。この補間演算は、Ｃ１１地点における位置データと、その後に獲得される補間用位置データに基づいて行うことができ、補間された仮想経路がＶＲ１で示される。次に信号レベルが回復したか否かを判断し（＃１７）、回復していなければステップ＃１５に戻り、補間用位置データに基づく補間演算を続行する。
【００５１】
信号レベルが回復すると、ＧＰＳセンサー４による位置データに基づいて、走行ルートを演算できるが、その際に走行ルートの修正演算を行う（＃１８）。この修正演算について説明すると、図７に示すように、Ｃ１２地点から信号レベルが回復して仮想経路ＶＲが演算されるとすると、補間演算で求めた経路の終点Ｃ１２’と、信号レベルが回復した地点Ｃ１２とで位置ズレが生じることがある。そこで、補間演算した走行ルートを修正するための修正演算が行われる。この修正演算は、Ｃ１１，Ｃ１２地点におけるＧＰＳセンサー４からの位置データと、Ｃ１１，Ｃ１２間における補間用位置データに基づいて行われる。これにより、経路ＶＲ１はＶＲ２に修正され、走行ルートを連続させることができる。
【００５２】
＜別実施形態＞
本実施形態では、デジタルカメラ１（画像データ撮影装置）と、位置データ取得装置３とが別体の装置として示されているが、位置データ取得装置３の機能の一部もしくは全部をデジタルカメラ１に組み込んでも良い。
【００５３】
本実施形態にかかる電子アルバム作成装置は、図１で説明した所望の機能を有するソフトウェア（電子アルバム作成プログラム）をパソコンにインストールすることで、各家庭内において楽しむことができるものであるが、写真店に設置される写真処理装置や注文受付端末に上記ソフトウェアをインストールして使用してもよい。また、上記電子アルバム作成プログラムは、写真店が提供するサービスの１つとして、顧客に対して提供できるようにしてもよい。プログラムは、ＣＤ−Ｒ等の記憶メディアに格納した状態で提供することができる。また、顧客がネガフィルムに形成されたコマ画像のＣＤ−Ｒ等への書き込みを依頼した場合、上記電子アルバム作成プログラムも合わせて提供するようにできる。
【００５４】
位置データや補間用位置データを取得するタイミングについては、例えば、適宜の周期で行うことができる。例えば、１分間隔、５分間隔で位置データ等の取得を行うことができる。これにより、データ量をいたずらに増大させなくてすむ。また、画像を撮影した場合は、必ず位置データを取得するようにすることが好ましい。
【００５５】
また、本実施形態の中でコンテンツデータは記録媒体から読み取ったり、パソコンで編集して作成することを示したが、コンビニ等に電子アルバム作成装置を置いて、その装置の中にコンテンツデータを記憶させておけば、走行ルートに準じたコンテンツデータ（走行ルートから一定距離にあるコンテンツデータを提示）を電子アルバム作成者に提供し、選択させることができる。これは、博物館のような巨大な建物の中では、複数のコンテンツデータを電子アルバム作成装置内に記憶させる必要性が発生し、著名な名画であれば、それに応じたコンテンツデータが用意されることになる。
【００５６】
従って、本実施形態で示したようなルート補間手段で補間され、得られたルート情報には正確性が要求されることから、ＧＰＳセンサーで測定された位置データから走行ルートが補間される意義は極めて大きいものである。さらに、コンテンツデータを作成者に提示するために、参照される地図データは、得られた走行ルートと照らし合わせてコンテンツデータを検索するため、表現精度の高いものを用意しておく必要はあるが、電子アルバムを再現する際の地図データは、簡略化されたＳ字状のものでもよいことは言うまでもない。電子アルバムは、旅情気分を再現するためのものであり、Ｓ字状の走行ルートに撮影地点とコンテンツデータを貼り付けるだけで十分な場合が多い。従って、位置データの場所を画面表示させるための地図データは、表現精度が高いものが要求されるが、本発明において、画面表示される地図データは必ずしも表現精度の高いものに限定されない。
【図面の簡単な説明】
【００５７】
【図１】電子アルバム作成システムの概要を示す模式図
【図２】電子アルバムの表示例１を示す図
【図３】電子アルバムの表示例２を示す図
【図４】電子アルバムの表示例３を示す図
【図５】走行ルートを算出するまでの手順を示すフローチャート
【図６】走行ルートを算出するまでの別手順を示すフローチャート
【図７】走行ルートの修正演算を示す概念図
【符号の説明】
【００５８】
１      デジタルカメラ
２      記憶メディア
３      位置データ取得装置
４      ＧＰＳセンサー
５      位置データ保存部
６      時計手段
７      ジャイロセンサー
８      補間データ保存部
９      歩数計測手段
２０    電子アルバム作成装置
２１    画像データ取得手段
２２    画像データ記憶手段
２３    位置データ取得手段
２４    補間データ取得手段
２５    地図データ記憶手段
２８    データリンク手段
２９    ルート算出手段
３０    ルート表示手段
３１    画像表示手段
３２    ルート補間手段
３３    歩数データ取得手段
３４    歩数表示手段
３５    疲労度算出手段
３６    疲労度表示手段
４４    電子アルバム記録手段
【図１】
2006279266.tif 000003
【図２】
2006279266.tif 000004
【図３】
2006279266.tif 000005
【図４】
2006279266.tif 000006
【図５】
2006279266.tif 000007
【図６】
2006279266.tif 000008
【図７】
2006279266.tif 000009